(57)【特許請求の範囲】
【請求項１】
通信相手に対する複数のデータシンボルを、同相成分と直交成分とに分離する分離手段と、
前記同相成分および前記直交成分を複数のサブキャリアに配置する配置手段と、
配置された前記同相成分と前記直交成分とを合成して合成シンボルを生成する合成手段と、を具備し、
前記配置手段は、通信相手毎に、前記同相成分および前記直交成分のうち、一方を、隣接する複数のサブキャリアにまとめて配置し、他方を、隣接しない複数のサブキャリアに分散させて配置する、
無線通信装置。
【請求項２】
前記複数のサブキャリアは、それぞれが隣接する複数のサブキャリアからなる複数のサブバンドに分けられており、
前記配置手段は、前記通信相手毎に、前記同相成分および前記直交成分のうち、一方を、前記サブバンドにまとめて配置する、
請求項１記載の無線通信装置。
【請求項３】
前記複数のサブキャリアは、それぞれが隣接する複数のサブキャリアからなる複数のサブバンドに分けられており、
前記配置手段は、前記通信相手毎に、前記同相成分および前記直交成分のうち、一方を、複数の前記サブバンドにまとめて配置する、
請求項１記載の無線通信装置。
【請求項４】
前記配置手段は、前記通信相手毎に、前記同相成分および前記直交成分のうち、一方を、周波数スケジューリングによって、前記隣接する複数のサブキャリアにまとめて配置する、
請求項１記載の無線通信装置。
【請求項５】
前記配置手段は、ＴＴＩ毎に前記周波数スケジューリングを行う、
請求項５記載の無線通信装置。
【請求項６】
前記複数のサブキャリアは、それぞれが隣接する複数のサブキャリアからなる複数のサブバンドに分けられており、
前記配置手段は、前記通信相手毎に、前記同相成分および前記直交成分のうち、一方を、前記サブバンドにまとめて配置し、他方を、前記一方が配置されたサブバンドに含まれるサブキャリア以外のサブキャリアに分散させて配置する、
請求項１記載の無線通信装置。
【請求項７】
前記配置手段は、
前記通信相手毎に、個別チャネルのデータシンボルの前記同相成分および前記直交成分のうち、一方を、前記隣接する複数のサブキャリアにまとめて配置し、他方を、前記隣接しない複数のサブキャリアに分散させて配置するとともに、
共通チャネルのデータシンボルの前記同相成分および前記直交成分の双方を、前記隣接しない複数のサブキャリアに分散させて配置する、
請求項１記載の無線通信装置。
【請求項８】
通信相手に対する複数のデータシンボルを、同相成分と直交成分とに分離する分離工程と、
前記同相成分および前記直交成分を複数のサブキャリアに配置する配置工程と、
配置された前記同相成分と前記直交成分とを合成して合成シンボルを生成する合成工程と、を具備し、
前記配置工程において、通信相手毎に、前記同相成分および前記直交成分のうち、一方を、隣接する複数のサブキャリアにまとめて配置し、他方を、隣接しない複数のサブキャリアに分散させて配置する、
無線通信方法。
【発明の詳細な説明】
【技術分野】
【０００１】
本発明は、マルチキャリア通信における無線通信基地局装置および無線通信方法に関する。
【背景技術】
【０００２】
近年、無線通信、特に移動体通信では、音声以外に画像やデータなどの様々な情報が伝送の対象になっている。今後は、さらに高速な伝送に対する要求がさらに高まるであろうと予想され、高速伝送を行うために、限られた周波数資源をより効率よく利用して、高い伝送効率を実現する無線伝送技術が求められている。
【０００３】
このような要求に応え得る無線伝送技術の一つにＯＦＤＭ（Orthogonal Frequency Division Multiplexing）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。
【０００４】
このＯＦＤＭを下り回線に用い、複数の無線通信移動局装置（以下、単に移動局という）へのデータを複数のサブキャリアに周波数多重する場合に、周波数スケジューリング送信および周波数ダイバーシチ送信を行うことが検討されている（例えば、非特許文献１参照）。
【０００５】
周波数スケジューリング送信では、無線通信基地局装置（以下、単に基地局という）が各移動局での周波数帯域毎の受信品質に基づいて各移動局に対して適応的にサブキャリアを割り当てるため、最大限のマルチユーザダイバーシチ効果を得ることができ、非常に効率良く通信を行うことができる。このような周波数スケジューリング送信は、主に、移動局の低速移動時のデータ通信に適した方式である。一方で、周波数スケジューリング送信には各移動局からの受信品質情報のフィードバックが必要となるため、周波数スケジューリング送信は移動局の高速移動時のデータ通信には不向きである。また、周波数スケジューリング送信は各移動局毎の受信品質に基づいて行われるため、周波数スケジューリング送信を共通チャネルに適用することは難しい。さらに、周波数スケジューリングは、通常、隣接するサブキャリアをいくつかまとめてブロック化したサブバンド毎に行われるため、それほど高い周波数ダイバーシチ効果は得られない。
【０００６】
これに対し、周波数ダイバーシチ送信は、各移動局へのデータを全帯域のサブキャリアに分散させて配置するため、高い周波数ダイバーシチ効果を得ることができる。また、周波数ダイバーシチ送信は、移動局からの受信品質情報を必要としないため、上記のように周波数スケジューリング送信が適用困難な状況において有効な方式である。一方で、周波数ダイバーシチ送信は、各移動局での受信品質と無関係に行われるため、周波数スケジューリング送信のようなマルチユーザダイバーシチ効果を得られない。
【非特許文献１】R1-050604 “Downlink Channelizationand Multiplexing for EUTRA”3GPP TSG RAN WG1 Ad Hoc on LTE,Sophia Antipolis, France, 20 - 21 June, 2005
【発明の開示】
【発明が解決しようとする課題】
【０００７】
ここで、マルチキャリア通信において、マルチユーザダイバーシチ効果と周波数ダイバーシチ効果の双方を同時に得て、移動局における受信品質をさらに高めることが望まれる。
【０００８】
本発明の目的は、マルチキャリア通信において、マルチユーザダイバーシチ効果と周波数ダイバーシチ効果の双方を同時に得ることができる基地局および無線通信方法を提供することである。
【課題を解決するための手段】
【０００９】
本発明の態様の一つに係る基地局は、ＯＦＤＭシンボルを構成する複数のサブキャリアに複数の無線通信移動局装置へのデータを周波数多重する無線通信基地局装置であって、データシンボルを同相成分と直交成分とに分離する分離手段と、前記同相成分および前記直交成分を前記複数のサブキャリアに配置する配置手段と、配置後の前記同相成分と前記直交成分とを合成して合成シンボルを生成する合成手段と、前記合成シンボルが前記複数のサブキャリアのいずれかに割り当てられた前記ＯＦＤＭシンボルを生成する生成手段と、を具備し、前記配置手段は、前記同相成分および前記直交成分のうち、一方を、前記複数のサブキャリアにそれぞれの無線通信移動局装置毎にまとめて配置し、他方を、前記複数のサブキャリアに分散させて配置する構成を採る。
【発明の効果】
【００１０】
本発明によれば、マルチユーザダイバーシチ効果と周波数ダイバーシチ効果の双方を同時に得ることができる。
【発明を実施するための最良の形態】
【００１１】
以下、本発明の実施の形態について、添付図面を参照して詳細に説明する。
【００１２】
（実施の形態１）
本実施の形態に係る基地局１００の構成を図１に示す。図１に示す基地局１００は、ＯＦＤＭシンボルを構成する複数のサブキャリアに複数の移動局ＭＳ＃１〜ＭＳ＃ｎへのデータを周波数多重して送信するものである。
【００１３】
基地局１００において、変調部１０１−１〜１０１−ｎは、最大ｎ個の移動局ＭＳ＃１〜ＭＳ＃ｎへのデータをそれぞれ変調してデータシンボルを生成する。生成されたデータシンボルは、分離部１０２に入力される。
【００１４】
分離部１０２は、入力される各データシンボルをＩｃｈ（同相成分）とＱｃｈ（直交成分）とに分離する。分離されたＩｃｈはそれぞれＩｃｈ配置部１０３に入力される。また、分離されたＱｃｈはそれぞれＱｃｈ配置部１０４に入力される。
【００１５】
Ｉｃｈ配置部１０３およびＱｃｈ配置部１０４はそれぞれ、ＩｃｈおよびＱｃｈを、ＯＦＤＭシンボルを構成する複数のサブキャリアに配置して合成部１０５に出力する。また、Ｉｃｈ配置部１０３およびＱｃｈ配置部１０４はそれぞれ、Ｉｃｈの配置情報（どの移動局のどのデータシンボルのＩｃｈをどのサブキャリアに配置したかを示す情報）およびＱｃｈの配置情報（どの移動局のどのデータシンボルのＱｃｈをどのサブキャリアに配置したかを示す情報）を制御情報生成部１０６に出力する。
【００１６】
合成部１０５は、各サブキャリアに配置されたＩｃｈとＱｃｈとをサブキャリア毎に合成して合成シンボルを生成する。生成された合成シンボルは、多重部１０７に入力される。
【００１７】
なお、分離部１０２での分離処理、Ｉｃｈ配置部１０３およびＱｃｈ配置部１０４での配置処理、および、合成部１０５での合成処理についての詳細は後述する。
【００１８】
制御情報生成部１０６は、Ｉｃｈの配置情報およびＱｃｈの配置情報からなる制御情報を生成して多重部１０７に出力する。
【００１９】
多重部１０７は、合成部１０５から入力される合成シンボルに制御情報を多重してＩＦＦＴ（Inverse Fast Fourier Transform）部１０８に出力する。これにより、制御情報または合成シンボルが各サブキャリアに割り当てられる。なお、制御情報の多重は、例えばＴＴＩ（Transmission Time Interval）＝０.５ms毎に行われる。また、制御情報の多重は、周波数多重または時間多重のいずれでもよい。
【００２０】
ＩＦＦＴ部１０８は、制御情報または合成シンボルが割り当てられた複数のサブキャリアに対してＩＦＦＴを行って、マルチキャリア信号であるＯＦＤＭシンボルを生成する。このＯＦＤＭシンボルは、ＧＩ付加部１０９に入力される。
【００２１】
ＧＩ付加部１０９は、ＯＦＤＭシンボルの後尾部分と同じ信号をＧＩ（Guard Interval）としてＯＦＤＭシンボルの先頭に付加する。
【００２２】
無線送信部１１０は、ＧＩ付加後のＯＦＤＭシンボルに対しＤ／Ａ変換、増幅およびアップコンバート等の送信処理を行ってアンテナ１１１から各移動局へ送信する。
【００２３】
一方、無線受信部１１２は、最大ｎ個の移動局ＭＳ＃１〜ＭＳ＃ｎから同時に送信されたｎ個のＯＦＤＭシンボルをアンテナ１１１を介して受信し、これらのＯＦＤＭシンボルに対しダウンコンバート、Ｄ／Ａ変換等の受信処理を行う。受信処理後のＯＦＤＭシンボルはＧＩ除去部１１３に入力される。
【００２４】
ＧＩ除去部１１３は、受信処理後のＯＦＤＭシンボルからＧＩを除去してＦＦＴ（Fast Fourier Transform）部１１４に出力する。
【００２５】
ＦＦＴ部１１４は、ＧＩ除去後のＯＦＤＭシンボルに対してＦＦＴを行って、周波数軸上で多重された移動局毎の信号を得る。ＦＦＴ後の移動局毎の信号は、復調部１１５−１〜１１５−ｎに入力される。
【００２６】
ここで、各移動局は互いに異なるサブキャリアまたは互いに異なるサブバンドを用いて信号を送信しており、移動局毎の信号にはそれぞれ、各移動局から報告されるサブバンド毎の受信品質情報が含まれている。なお、各移動局では、サブバンド毎の受信品質の測定を、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により行う。また、受信品質情報は、ＣＱＩ（Channel Quality Indicator）やＣＳＩ（Channel State Information）等と表されることがある。
【００２７】
なお、サブバンドとは、ＯＦＤＭシンボルを構成する複数のサブキャリアをいくつかのブロックに分割したものであり、各サブバンドにはそれぞれ複数のサブキャリアが含まれる。例えば、サブキャリアｆ１〜ｆ１５で構成されるＯＦＤＭシンボルを３つのサブバンド１〜３に分けた場合は、各サブバンド１〜３にはそれぞれ５つのサブキャリアが含まれる。また、サブバンドは、サブチャネル、サブキャリアブロック、チャンク、または、リソースブロックと称されることがある。
【００２８】
復調部１１５−１〜１１５−ｎは移動局ＭＳ＃１〜ＭＳ＃ｎに対応して備えられ、ＦＦＴ後の信号に対して復調処理を行い、この復調処理により得られるサブバンド毎の受信品質情報をＩｃｈ配置部１０３に出力する。
【００２９】
Ｉｃｈ配置部１０３は、各移動局から報告されたサブバンド毎の受信品質情報に基づいて、周波数スケジューリングによるＩｃｈの配置を行う。すなわち、Ｉｃｈ配置部１０３は、サブバンド毎の受信品質情報に基づいて、Max SIR法やProportional Fairness法等のスケジューリングアルゴリズムを用いて、サブバンド単位で、各データシンボルのＩｃｈをどのサブキャリアに配置するか決定する周波数スケジューリングを行う。
【００３０】
次いで、分離部１０２での分離処理について図２Ａ〜図２Ｃを用いて説明する。ここでは、変調部１０１−１〜１０１−ｎが、ＱＰＳＫ方式で変調を行っているものとする。よって、データシンボルのシンボル点配置Ｓ１〜Ｓ４（コンスタレーション）は図２Ａに示すようになる。
【００３１】
今、例えば、（Ｉ,Ｑ）＝（１,１）のデータシンボルＳ１をＩｃｈとＱｃｈとに分離すると、分離されたＩｃｈは図２Ｂに示すようになり、分離されたＱｃｈは図２Ｃに示すようになる。すなわち、（Ｉ,Ｑ）＝（１,１）のデータシンボルＳ１は、Ｉｃｈ＝１とＱｃｈ＝１とに分離される。他のデータシンボルＳ２〜Ｓ４も同様にして分離することができる。そして、このようにして分離されたＩｃｈとＱｃｈとがそれぞれ、Ｉｃｈ配置部１０３とＱｃｈ配置部１０４とに入力される。
【００３２】
次いで、Ｉｃｈ配置部１０３およびＱｃｈ配置部１０４での配置処理について図３を用いて説明する。ここでは、説明を簡単にするために、ＯＦＤＭシンボルがサブキャリアｆ１〜ｆ１５で構成され、サブキャリアｆ１〜ｆ１５を図３に示すように３つのサブバンド１〜３に分けるものとする。また、移動局ＭＳ＃１〜ＭＳ＃３の３つの移動局に対するそれぞれ５つのデータシンボル（計１５データシンボル）を周波数多重して同時に送信するものとする。また、各移動局では、サブバンド毎の受信品質の測定を受信ＳＮＲにより行うものとする。
【００３３】
まず、Ｉｃｈ配置部１０３での配置処理について説明する。今、サブバンド１〜３において、移動局ＭＳ＃１〜ＭＳ＃３のＳＮＲが図３に示すようになった場合、サブバンド１では移動局ＭＳ＃２のＳＮＲが最も高く、サブバンド２では移動局ＭＳ＃１のＳＮＲが最も高く、サブバンド３では移動局ＭＳ＃３のＳＮＲが最も高い。よって、Ｉｃｈ配置部１０３は、周波数スケジューリングによって、移動局ＭＳ＃２のデータシンボル２１〜２５のＩｃｈをサブバンド１（サブキャリアｆ１〜ｆ５）に配置し、移動局ＭＳ＃１のデータシンボル１１〜１５のＩｃｈをサブバンド２（サブキャリアｆ６〜ｆ１０）に配置し、移動局ＭＳ＃３のデータシンボル３１〜３５のＩｃｈをサブバンド３（サブキャリアｆ１１〜ｆ１５）に配置する。
【００３４】
このようにして、Ｉｃｈ配置部１０３は、周波数軸上において、各データシンボルのＩｃｈを、それぞれの移動局毎にまとめて複数のサブバンドに配置する。換言すれば、Ｉｃｈ配置部１０３は、複数の移動局のいずれか一つ（例えば、ＭＳ＃１）に対する複数のデータシンボル（例えば、データシンボル１１〜１５）のＩｃｈを、複数のサブバンドのいずれか一つ（例えば、サブバンド２）にまとめて配置する。これにより、各データシンボルのＩｃｈについて周波数スケジューリング送信がなされる。なお、Ｉｃｈ配置部１０３は、このような周波数スケジューリングを、例えば、ＴＴＩ＝０.５ms毎に行う。
【００３５】
一方、Ｑｃｈ配置部１０４は、各サブバンドにおける移動局ＭＳ＃１〜ＭＳ＃３のＳＮＲとは無関係に、各データシンボルのＱｃｈを、それぞれの移動局毎に、複数のサブキャリアに分散させて配置する。すなわち、図３に示すように、Ｑｃｈ配置部１０４は、移動局ＭＳ＃１のデータシンボル１１〜１５のＱｃｈをサブキャリアｆ１,ｆ４,ｆ７,ｆ１０,ｆ１３に配置し、移動局ＭＳ＃２のデータシンボル２１〜２５のＱｃｈをサブキャリアｆ２,ｆ５,ｆ８,ｆ１１,ｆ１４に配置し、移動局ＭＳ＃３のデータシンボル３１〜３５のＱｃｈをサブキャリアｆ３,ｆ６,ｆ９,ｆ１２,ｆ１５に配置する。これにより、各データシンボルのＱｃｈについて周波数ダイバーシチ送信がなされる。
【００３６】
このように、本実施の形態では、データシンボルをＩｃｈとＱｃｈとに分離することにより、同じデータに対し、周波数スケジューリング送信と周波数ダイバーシチ送信の双方を行う。
【００３７】
次いで、合成部１０５での合成処理について図４Ａ〜図４Ｃを用いて説明する。今、上記図３に示すサブキャリアｆ１４に着目すると、Ｉｃｈについては移動局ＭＳ＃３のデータシンボル３４のＩｃｈが配置され、Ｑｃｈについては移動局ＭＳ＃２のデータシンボル２５のＱｃｈが配置されている。つまり、一つのサブキャリアに、互いに異なる複数の移動局のＩｃｈとＱｃｈとが同時に配置されている。そして、例えば、サブキャリアｆ１４に配置されたＩｃｈおよびＱｃｈが、Ｉｃｈ＝−１（図４Ａ），Ｑｃｈ＝−１（図４Ｂ）である場合、合成部１０５は、図４Ｃに示すようにしてＩｃｈとＱｃｈとを合成して合成シンボルＳ３を生成する。他のサブキャリアについても同様に、合成部１０５は、合成シンボルＳ１〜Ｓ４のいずれかを生成する。上記のように、Ｉｃｈについては周波数スケジューリング送信がなされ、Ｑｃｈについては周波数ダイバーシチ送信がなされるため、このような合成により、各合成シンボルは、周波数スケジューリング送信および周波数ダイバーシチ送信の双方が同時になされることとなる。
【００３８】
なお、上記説明では、複数のサブキャリアに対し、Ｉｃｈをそれぞれの移動局毎にまとめて配置し、Ｑｃｈを分散させて配置する場合について説明したが、逆に、Ｑｃｈをそれぞれの移動局毎にまとめて配置し、Ｉｃｈを分散させて配置してもよい。つまり、本発明では、周波数軸上において、ＩｃｈおよびＱｃｈのうち、一方を、それぞれの移動局毎にまとめて配置し、他方を、それぞれの移動局毎で分散させて配置する。
【００３９】
このように、本実施の形態によれば、各データシンボルをＩｃｈとＱｃｈとに分離し、一方に対しては周波数スケジューリング送信を行うともに、他方に対しては周波数ダイバーシチ送信を行うため、同じデータについて、マルチユーザダイバーシチ効果と周波数ダイバーシチ効果の双方を同時に得ることができ、移動局における受信品質をさらに高めることができる。
【００４０】
また、上記図３に示したＳＮＲの状況において移動局ＭＳ＃１に着目すると、サブバンド１〜３の移動局ＭＳ＃１のＳＮＲのうち最も高いＳＮＲはサブバンド１のＳＮＲである。しかし、サブバンド１では移動局ＭＳ＃２のＳＮＲがさらに高いため、移動局ＭＳ＃１のＩｃｈはサブバンド１には配置されず、サブバンド２に配置される。よって、移動局ＭＳ＃１は、ダイバーシチ効果を最大限に得ることができない。このように、Ｉｃｈについてマルチユーザダイバーシチ効果を最大限に得られない場合でも、本実施の形態によれば、Ｑｃｈの周波数ダイバーシチによりダイバーシチ効果を補完することができる。
【００４１】
また、本実施の形態では、各データシンボルをＩｃｈとＱｃｈとに分離し、それぞれ独立にサブキャリアへの配置を行うため、例えばＱｃｈのチャネル推定精度を高めるために、Ｑｃｈにてパイロットを送信する場合、Ｉｃｈの配置に影響を与えることなくＱｃｈにパイロットを割り当てることができる。
【００４２】
なお、本実施の形態では、いずれか一つの移動局の複数のＩｃｈがいずれか一つのサブバンドにのみ配置されているが、データ量が増加した場合には、いずれか一つの移動局の複数のＩｃｈを複数のサブバンドに渡って配置してもよい。但し、この場合でも、いずれか一つの移動局の複数のＩｃｈが配置される複数のサブキャリアは、互いに隣接するサブキャリアとする。
【００４３】
また、Ｑｃｈの分散配置について、図５に示すように、時間の経過とともに、すなわち、ＯＦＤＭシンボル毎に、配置パターンを変化させてもよい。図５に示す例では、配置パターンを右方向に１サブキャリアずつシフトさせている。このようにすることで、周波数ダイバーシチ効果をさらに高めることができる。
【００４４】
（実施の形態２）
本実施の形態に係る基地局は、Ｉｃｈの配置パターンに応じてＱｃｈの配置パターンを決めるものであり、移動局毎に、Ｉｃｈが配置されていないサブバンドのサブキャリアにＱｃｈを分散配置するものである。つまり、本実施の形態に係る基地局は、複数の移動局のいずれか一つに対する複数のデータシンボルのＱｃｈを、Ｉｃｈを配置したいずれか一つのサブバンドに含まれるサブキャリア以外のサブキャリアに分散させて配置する点において実施の形態１と相違する。
【００４５】
本実施の形態に係る基地局２００の構成を図６に示す。図６において、実施の形態１（図１）と同一の構成には同一符号を付し、説明を省略する。
【００４６】
基地局２００において、Ｉｃｈ配置部１０３から出力されたＩｃｈの配置情報はＱｃｈ配置部２０１にも入力される。
【００４７】
Ｑｃｈ配置部２０１は、Ｉｃｈの配置情報に基づいて、各移動局のＱｃｈを複数のサブキャリアに分散させて配置する。具体的には、図７に示すように配置する。すなわち、移動局ＭＳ＃２に着目すると、Ｉｃｈについては実施の形態１（図３）同様、Ｉｃｈ配置部１０３によりサブバンド１に配置されるが、ＱｃｈについてはＱｃｈ配置部２０１によってサブバンド１以外のサブバンド２，３に分散配置される。より具体的には、Ｑｃｈは、サブバンド１に含まれるサブキャリアｆ１〜ｆ５以外のサブキャリアｆ６,ｆ８,ｆ１０,ｆ１２,ｆ１４に分散配置される。移動局ＭＳ＃１,＃３についても同様である。
【００４８】
このようにしてＩｃｈが配置されていないサブキャリアにＱｃｈを配置することで、周波数ダイバーシチ効果をさらに高めることができる。
【００４９】
また、図８に示すようにしてＱｃｈを配置することで、上記図７に示す配置よりもさらに周波数ダイバーシチ効果を高めることができる。図８において移動局ＭＳ＃３に着目すると、Ｉｃｈがサブバンド３に配置されているのに対し、Ｑｃｈは、サブバンド１,５に配置されている。換言すれば、Ｑｃｈは、サブバンド２,３,４以外のサブバンドに含まれるサブキャリアに配置されている。移動局ＭＳ＃１,＃２,＃４,＃５についても同様である。つまり、Ｑｃｈ配置部２０１は、各移動局について、Ｉｃｈが配置されたサブバンドおよびそのサブバンドに隣接するサブバンド以外のサブバンドにＱｃｈを分散配置する。
【００５０】
なお、Ｉｃｈの配置パターンとＱｃｈの配置パターンとの対応を示すテーブルをＱｃｈ配置部２０１が有することにより、Ｉｃｈの配置パターンからＱｃｈの配置パターンを一義的に決定することができる。例えば、Ｑｃｈ配置部２０１は、図９に示すテーブル（複数のサブバンドと複数の配置パターンとの対応を示すテーブル）を有し、移動局毎に、Ｉｃｈが配置されたサブバンドに応じてＱｃｈの分散配置の配置パターンを決定し、決定した配置パターンに従ってＱｃｈを分散させて配置する。例えば、Ｑｃｈ配置部２０１は、Ｉｃｈ配置部１０３によってＩｃｈがサブバンド１に配置された移動局については、Ｑｃｈを配置パターンＢに従って分散配置する。
【００５１】
また、このテーブルを制御情報生成部１０６が有することにより、配置情報として、Ｉｃｈの配置パターンとＱｃｈの配置パターンとの組合せを示す制御情報（図９では‘００’〜‘１０’）を生成することができる。これにより、制御情報の情報量を削減することができるとともに、基地局２００は、Ｉｃｈの配置情報とＱｃｈの配置情報とをそれぞれ別に各移動局へ送信する必要がなくなるため、各移動局へのシグナリング量を削減することができる。
【００５２】
（実施の形態３）
上記のように、周波数スケジューリング送信は各移動局毎の受信品質に基づいて行われるため、周波数スケジューリング送信を共通チャネルに適用することは難しい。
【００５３】
そこで、本実施の形態に係る基地局は、個別チャネルのデータシンボルについては、実施の形態１同様、Ｉｃｈを移動局毎にまとめて配置しＱｃｈを分散配置するが、共通チャネルのデータシンボルについては、ＩｃｈおよびＱｃｈの双方を分散配置する。
【００５４】
本実施の形態に係る基地局３００の構成を図１０に示す。図１０において、実施の形態１（図１）と同一の構成には同一符号を付し、説明を省略する。
【００５５】
基地局３００において、変調部１０１−１〜１０１−ｎに入力されるデータは個別チャネルのデータである。なお、個別チャネルとしては、例えば３ＧＰＰ規格では、ＤＣＨ（Dedicated Channel），ＤＣＣＨ（Dedicated Control Channel），ＤＰＣＨ（Dedicated Physical Channel），ＤＰＤＣＨ（Dedicated Physical Data Channel），ＤＰＣＣＨ（Dedicated Physical Control Channel）等がある。
【００５６】
変調部３０１は、共通チャネルのデータを変調してデータシンボルを生成する。生成されたデータシンボルは、分離部１０２に入力される。なお、共通チャネルとしては、例えば３ＧＰＰ規格では、ＢＣＨ（Broadcast Channel），Ｐ−ＣＣＰＣＨ（Primary Common Control Physical Channel）、Ｓ−ＣＣＰＣＨ（Secondary Common Control Physical Channel）等がある。
【００５７】
分離部１０２は、入力される各データシンボルをＩｃｈとＱｃｈとに分離する。分離されたＩｃｈおよびＱｃｈは変換部３０２に入力される。
【００５８】
変換部３０２は、入力される各データシンボルのＩｃｈおよびＱｃｈのうち、共通チャネルのデータシンボルのＩｃｈを選択し、そのＩｃｈをＱｃｈに変換してＱｃｈ配置部１０４に出力する。また、変換部３０２は、その他のＩｃｈおよびＱｃｈについては、そのままＩｃｈ配置部１０３またはＱｃｈ配置部１０４に出力する。
【００５９】
変換部３０２での変換処理について図１１に示す。今、例えば、共通チャネルのデータシンボルのＩｃｈがＩｃｈ＝１である場合、変換部３０２は、Ｉｃｈ＝１を９０°または−９０°位相回転させてＱｃｈ＝１または−１に変換し、変換後のＱｃｈをＱｃｈ配置部１０４に出力する。このように変換することで、共通チャネルのデータシンボルのＩｃｈをＱｃｈとして扱うことができる。すなわち、図１２に示すように、共通チャネル（図１２ではＢＣＨ）のデータシンボルのＩｃｈを、Ｑｃｈと同様、複数のサブキャリアに分散させて配置することができる。よって、本実施の形態によれば、共通チャネルの周波数ダイバーシチ効果を高めることができる。
【００６０】
なお、共通チャネルのデータの他、周波数スケジューリング送信を適用することが難しいデータ、例えば、高速データ、移動速度が速い移動局へのデータ等について、上記同様にしてＩｃｈおよびＱｃｈの双方を分散配置してもよい。また、誤り訂正符号化しない情報（例えば、再送制御のためのＡＣＫ情報／ＮＡＣＫ情報等）について、上記同様にしてＩｃｈおよびＱｃｈの双方を分散配置することもダイバーシチ効果を高めるのに有効である。
【００６１】
以上、本発明の各実施の形態について説明した。
【００６２】
なお、上記各実施の形態では、基地局が受信する信号（すなわち、移動局が上り回線で送信する信号）はＯＦＤＭ方式で伝送されるものとして説明したが、この信号は、ＤＦＴ−ＳＯＦＤＭ（Discrete Fourier Transform−Spread  OFDM）方式や、Ｒ−ＯＦＤＭ（Rotational code-multiplexed OFDM）方式等で伝送されてもよい。また、この信号は、シングルキャリア方式やＣＤＭＡ方式等、ＯＦＤＭ方式以外の伝送方式で伝送されてもよい。
【００６３】
また、移動局はUE、基地局装置はNode B、サブキャリアはトーンと称されることがある。
【００６４】
また、周波数スケジューリング送信を行うためのチャネル（上記各実施の形態のＩｃｈを送信するためのチャネル）をLocalized Channel、周波数ダイバーシチ送信を行うためのチャネル（上記各実施の形態のＱｃｈを送信するためのチャネル）をDistributed Channelと称することがある。また、Localized Channelは、通常、サブバンド単位や、連続した複数のサブキャリア単位で割り当てられる。また、Distributed Channelは、通常、ＯＦＤＭシンボルの全帯域に渡って、等間隔の複数のサブキャリアにより構成されたり、ＦＨ（Frequency Hopping）パターンにより定義される。さらに、Distributed Channelは、周波数インタリーブの対象とされることもある。なお、Localized ChannelはLocalized Resource Block（LRB）と、Distributed ChannelはDistributed Resource Block（DRB）と称されることがある。
【００６５】
また、上記各実施の形態では、本発明をハードウェアで構成する場合を例にとって説明したが、本発明はソフトウェアで実現することも可能である。
【００６６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００６８】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００６９】
本明細書は、２００５年６月２４日出願の特願２００５−１８５０１４に基づくものである。この内容はすべてここに含めておく。
【産業上の利用可能性】
【００７０】
本発明は、移動体通信システム等に適用することができる。
【図面の簡単な説明】
【００７１】
【図１】本発明の実施の形態１に係る基地局の構成を示すブロック図
【図２Ａ】本発明の実施の形態１に係る分離処理の説明図（分離前）
【図２Ｂ】本発明の実施の形態１に係る分離処理の説明図（分離後：Ｉｃｈ）
【図２Ｃ】本発明の実施の形態１に係る分離処理の説明図（分離後：Ｑｃｈ）
【図３】本発明の実施の形態１に係る配置処理の説明図（Ｉｃｈ，Ｑｃｈ）
【図４Ａ】本発明の実施の形態１に係る合成処理の説明図（合成前：Ｉｃｈ）
【図４Ｂ】本発明の実施の形態１に係る合成処理の説明図（合成前：Ｑｃｈ）
【図４Ｃ】本発明の実施の形態１に係る合成処理の説明図（合成後）
【図５】本発明の実施の形態１に係る配置処理の説明図（Ｑｃｈ）
【図６】本発明の実施の形態２に係る基地局の構成を示すブロック図
【図７】本発明の実施の形態２に係る配置処理の説明図（Ｉｃｈ，Ｑｃｈ）
【図８】本発明の実施の形態２に係る配置処理の説明図（Ｉｃｈ，Ｑｃｈ）
【図９】本発明の実施の形態２に係るテーブル
【図１０】本発明の実施の形態３に係る基地局の構成を示すブロック図
【図１１】本発明の実施の形態３に係る変換処理の説明図
【図１２】本発明の実施の形態３に係る配置処理の説明図（Ｉｃｈ，Ｑｃｈ）
【図１】
0004836951.tif 000002
【図２Ａ】
0004836951.tif 000003
【図２Ｂ】
0004836951.tif 000004
【図２Ｃ】
0004836951.tif 000005
【図３】
0004836951.tif 000006
【図４Ａ】
0004836951.tif 000007
【図４Ｂ】
0004836951.tif 000008
【図４Ｃ】
0004836951.tif 000009
【図５】
0004836951.tif 000010
【図６】
0004836951.tif 000011
【図７】
0004836951.tif 000012
【図８】
0004836951.tif 000013
【図９】
0004836951.tif 000014
【図１０】
0004836951.tif 000015
【図１１】
0004836951.tif 000016
【図１２】
0004836951.tif 000017